(57)【要約】振られている間に視覚情報を提示するカード。カードには柔軟性があり、カードの撓みを検出または定量化するセンサを有する。カードは、その端部に、情報を提示するための光放射体を有することが好ましい。端部を見ているユーザに模倣の２Ｄ情報提示手段が見えるように、制御器が端部の位置を決定して情報を送る。【選択図】図１
2010501902.tif 000002
【特許請求の範囲】
【請求項１】
・  柔軟性のある基体と、
・  視覚情報を提示する手段と、
・  前記基体の撓みを検出する手段と、
・  前記検出手段から第１の情報または信号を受信すると共に、前記第１の情報に基づいて、第２の情報または信号を前記提示手段に提供する手段と、
を有するカード。
【請求項２】
前記検出手段は、前記基体の側面に、または前記側面上に配置され、前記検出手段の伸縮に対応する信号を出力するように構成される、請求項１に記載のカード。
【請求項３】
前記検出手段は、圧電変換器、ひずみゲージ、および圧力感応抵抗器から成る群から選択される、請求項１に記載のカード。
【請求項４】
前記検出手段はさらに、受信された信号に対応する音を提示するようになっており、前記カードはさらに、前記検出手段に信号を提供する手段を含む、請求項１に記載のカード。
【請求項５】
前記カードは、第１の端部および１つ以上の反対側端部を有し、前記提示手段は、前記カードの前記第１の端部に、または前記第１の端部上に配され、前記検出手段は、前記第１の端部よりも前記反対側の（１つまたは複数の）端部の近くに配される、請求項１に記載のカード。
【請求項６】
前記提示手段は、前記受信手段によりそれぞれ制御可能な光放射体の列を１列以上含む、請求項１に記載のカード。
【請求項７】
前記受信手段はさらに、タイミング情報を提供するようになっているタイミング手段を含み、前記受信手段は、前記タイミング情報にも基づいて前記第２の情報を提供する、請求項１に記載のカード。
【請求項８】
前記受信手段は、前記第１の情報および前記タイミング情報から、揺動されている間に前記提示手段が移動する第１の距離を推定するように構成される、請求項７に記載のカード。
【請求項９】
前記受信手段は、提示されるべき２Ｄ情報の隣接する細長い複数部分を表すデータを前記提示手段に順次送るために、前記２Ｄ情報を保持するように構成される、請求項８に記載のカード。
【請求項１０】
前記受信手段は、前記揺動されている間に前記カードにより表示される前記２Ｄ情報が、揺動の方向に沿った次元と、それに対して垂直な方向との間に所定の関係を有するように、前記２Ｄ情報の第１の次元に沿った範囲を前記距離に関連づけ、前記提示手段の各列の光放射体の数を適応させるように構成される、請求項６および９に記載のカード。
【請求項１１】
前記受信手段は、前記２Ｄ情報を提示するために必要な第２の距離を前記情報から決定し、前記第１の距離と第２の距離との間の関係に対応して、前記２Ｄ情報の一部を前記提示手段へ送るように構成される、請求項９に記載のカード。
【請求項１２】
前記受信手段は、前記撓みが生じる面において前記提示手段が取るカーブを推定し、それに合わせて前記第２の情報を適応させるように構成される、請求項１に記載のカード。
【請求項１３】
前記受信手段は、前記第１の情報および前記タイミング情報に基づいて、前記提示手段の位置を推定し、前記推定された位置に基づいて、前記第２の情報を提供するように構成される、請求項７に記載のカード。
【請求項１４】
請求項１に記載のカードを動作させる方法であって、
・  前記カードを撓ませることと、
・  前記検出手段が、前記第１の情報または信号を前記受信手段に提供することと、
・  前記受信手段が、前記第１の情報を受信し、前記第２の情報を前記提示手段に提供することと、
・  前記提示手段が、前記第２の情報に関連する視覚情報を提示することと、
を含む方法。
【請求項１５】
前記検出手段は、前記基体の側面に、または前記側面上に配置され、前記検出手段の伸縮に対応する信号を出力する、請求項１４に記載の方法。
【請求項１６】
前記検出手段はさらに、信号に対応する音を提示する、請求項１４に記載の方法。
【請求項１７】
前記カードは、第１の端部および１つ以上の反対側端部を有し、前記提示手段は、前記カードの前記第１の端部に、または前記第１の端部上に配置され、前記撓みは主として、前記第１の端部よりも前記反対側の（１つまたは複数の）端部の近くで起こり、前記検出手段は、前記第１の端部よりも前記反対側の（１つまたは複数の）端部の近くに配置される、請求項１４に記載の方法。
【請求項１８】
前記提示するステップは、１列以上の光放射体の各光放射体が、前記受信手段により制御されることを含む、請求項１４に記載の方法。
【請求項１９】
タイミング情報を提供することをさらに含み、前記第２の情報は、前記タイミング情報にも基づいて決定される、請求項１４に記載の方法。
【請求項２０】
前記第１の情報および前記タイミング情報から、揺動されている間に前記提示手段が移動する第１の距離を推定するステップをさらに含む、請求項１９に記載の方法。
【請求項２１】
前記受信手段は、提示されるべき２Ｄ情報を保持し、前記２Ｄ情報の隣接する細長い複数部分を表すデータを前記提示手段に順次送る、請求項２０に記載の方法。
【請求項２２】
前記揺動されている間に前記カードにより表示される前記２Ｄ情報が、揺動の方向に沿う次元と、それに対して垂直な方向との間に所定の関係を有するように、前記２Ｄ情報の第１の次元に沿う範囲を前記距離に関連づけ、撓みの方向に対して垂直な方向において、前記提示ステップにより提示される前記情報の範囲を適応させることを含む、請求項１８および２１に記載の方法。
【請求項２３】
前記２Ｄ情報を提示するために必要な第２の距離を前記情報から決定し、前記第１の距離と第２の距離との間の関係に対応して、前記２Ｄ情報の一部を前記提示手段へ送ることを含む、請求項２１に記載の方法。
【請求項２４】
前記撓みが生じる面において前記提示手段が取るカーブを推定し、それに合わせて前記第２の情報を適応させることを含む、請求項１４に記載の方法。
【請求項２５】
前記第１の情報および前記タイミング情報に基づいて、前記提示手段の位置を推定し、前記推定された位置に基づいて、前記第２の情報を提供することを含む、請求項１９に記載の方法。
【発明の詳細な説明】
【発明の詳細な説明】
【０００１】
本発明は、振られている間に、または別の方法で揺動せしめられている間に情報を提示するようになっているカードに関し、特に、振られている間に、カードの加速またはその他撓みの結果提供される情報を提示するようになっているカードに関する。
【０００２】
回転中に情報を提供するコマを、米国特許第５７９１９６６号明細書または米国特許出願公開第２００５／０２７７３６０号明細書において確認することができる。また、
http://www.loadsmorestuff.com/product_info.php?products_id=108
http://web.mit.edu/6.111/www/s2005/PROJECT/Groups/1/main.html
には、振られている間に情報を提供する製品がある。しかし、これらの製品は硬い箱型であり、かなり単純な構成であるように思われる。
【０００３】
第１の態様において、本発明は、以下を含むカードに関する：
・  柔軟性のある基体、
・  視覚情報を提示する手段、
・  基体の撓みを検出する手段、
・  検出手段から第１の情報または信号を受信し、第１の情報に基づいて、提示手段に第２の情報または信号を提供する手段。
【０００４】
この文脈で、柔軟性のある要素とは、揺動させられると（すなわち振られると）曲がるか、または撓むようになっている要素である。揺動とは、例えば、人がその要素の一部を握って、往復する形でその要素を動かすことである。その結果、その要素は、加速度の変化およびその柔軟性、ならびに振られている間にカードに作用する風の抵抗が原因で、撓むか、または曲がることになる。
【０００５】
さらに、現時点でカードとは、１つの次元（厚さ）が他の２つの次元（幅と長さ）よりも大幅に小さい要素であるが、これは主として、このことが所望の撓みを容易にするからである。ただし、基体が柔軟性を維持していれば、例えばクレジット・カードなどと比べて比較的大きな「厚み」が使用されてもよい。
【０００６】
視覚情報は、イメージ、ピクチャ、テキストなど、任意の種類の視覚情報とすればよい。この情報は、１つの次元に沿ってより小さい横断面を有する提示手段により提示される場合でも、人間の目のシステムが有する遅い性質が原因で、人には２Ｄイメージとして見える。
【０００７】
撓みの検出および定量化は、提示手段の動きを表す情報を生成することができ、この情報は、提示手段を制御する受信手段により使用される。
【０００８】
検出手段は、基体の側面に配置され、検出手段の伸縮に対応する信号を出力するようになっていることが好ましい。したがって、圧電変換器、ひずみゲージ、または圧力感応抵抗器などの標準的な要素が使用されるとよい。あるいは、より複雑な加速度計が使用されてもよい。
【０００９】
いくつかの種類の加速度計または撓み検出器（bending detector）は、実際に、適切な信号を与えられれば、音を出力することができる。したがって、一実施形態では、検出手段はさらに、受信された信号に対応する音を提示するようになっており、カードはさらに、検出手段に信号を提供する手段を含む。
【００１０】
カードは、第１の端部および１つ以上の反対側の端部を有し、提示手段は、カードの第１の端部に、または第１の端部上に配置され、検出手段は、第１の端部よりも反対側の（１つまたは複数）の端部の近くに配置されることが好ましい。このように、カードは実際には、反対側の（１つまたは複数の）端部と検出手段との間を握るようになっており、それによって、カードの揺動により検出手段において最大の撓みが生じることになるのが好ましい。
【００１１】
好適な実施形態では、提示手段は、通常は平行な１列以上の光放射体を含み、それぞれが受信手段により制御される。任意の列数が使用されることができ、ＬＥＤ、レーザー、ｖｘｅｌなど、任意の種類の光放射体が使用されればよい。複数の単色放射体が使用されてもよく、多色情報を提示できるように複数の単色放射体を混ぜたものが使用されてもよく、または様々な色の光を発するようになっている複数の放射体が使用されてもよい。
【００１２】
放射体を端部に設けることは、揺動距離を最大とするという意味があるが、放射体は、カードの任意の位置に設けられてもよい。
【００１３】
カードまたは受信手段はさらに、タイミング情報を提供するように構成されるタイミング手段を含み、受信手段は、タイミング情報にも基づいて第２の情報を提供することが好ましい。したがって、撓みや加速度だけではなく、例えば、運動の最終方向転換の点または撓みや加速度が検知されなかった最終時点などから後の時点も使用されるとよい。
【００１４】
好適な実施形態では、受信手段は、第１の情報およびタイミング情報から、揺動運動（reciprocating movement）中に提示手段が移動する第１の距離を推定するようになっている。したがって、この第１の距離は、揺動運動の２つの端点間の距離であればよい。この距離およびタイミング情報により、受信手段は、常に情報提示手段の実際の位置を決定することができると考えられる。
【００１５】
次に、受信手段は、２Ｄ情報において隣接する細長い部分を表す複数のデータを順次提示手段に送るべく、提示されるべき２Ｄ情報を保持するようになっているとよい。揺動運動が発生すると、提示手段は距離を「スキャン」し、距離に沿った提示手段の位置に合わせて、受信器は情報を提示手段へ送る。その結果、当然ながら、提示手段に伝送される情報は、２Ｄ情報全体のうちの、撓み／揺動の方向に横切るよう分割された、細長い複数部分を表す。
【００１６】
当然ながら、時間／位置／距離を絶えず追跡するために、タイミング情報および位置／距離情報の上記決定、ならびに第２情報の出力は、繰り返し実行されることができる。
【００１７】
提示手段が１列以上の放射体を有する状況では、受信手段は、揺動されている間にカードにより表示される２Ｄ情報が、揺動の方向に沿った次元と、それに対して垂直な方向との間に所定の関係を有するよう、２Ｄ情報の第１の次元に沿った所望の範囲を距離に関連づけ、提示手段の各列の光放射体の数（提示される情報の実際の範囲）を適応させるようになっている。
【００１８】
したがって、所与のイメージまたはテキストが提示される場合、放射体の列に沿う範囲は、揺動の距離によって異なることになる。その結果、距離が長くなると、放射体の列のより広い範囲が利用され、距離が小さくなれば放射体の列の方向においても情報の全体的な範囲が縮小される。
【００１９】
別の状況では、受信手段は、２Ｄ情報から、情報を提示するために必要な第２の距離を決定し、第１の距離と第２の距離との間の関係に対応して、２Ｄ情報の一部を提示手段へ送るようになっている。しがたって、所要の第２の距離よりも揺動距離が短い場合、放射体の列に沿う方向を適応させる代わりに、２Ｄ情報の一部のみが提示される。その結果、ユーザはより大きな動きでの揺動を望むかもしれず、または、初めに情報の一部を「揺らし」、次に、カードを横に移動させることなどによって、情報の残りを「揺らす」ことを望むかもしれない。
【００２０】
一実施形態では、受信手段は、撓みが生じる面において、提示手段が取るカーブを推定し、それに合わせて第２の情報を適応させるようになっている。実際には、このカーブは推定される必要はない。受信器において事前にプログラムされていても、または受信器に認識されていてもよい。この適応は、例えば、提示される情報が、カーブ状の要素の代わりに平面要素により提示されているように見えるよう行われてもよい。これは、受信器が特殊な方法で、２Ｄ要素の個々の部分の提示のタイミングをとるということを意味する。
【００２１】
概して、受信手段は、第１の情報およびタイミング情報に基づいて、提示手段の位置を推定し、推定された位置に基づいて、第２の情報を提供するようになっていればよい。安定したイメージを提示するためには、同じ情報部分は同じ位置に提示されることが好ましいため、この位置決定は大変有用である。
【００２２】
第２の態様では、本発明は上記のカードを動作させる方法に関し、本方法は以下を含む：
・  カードを撓ませること、
・  検出手段が、受信手段に第１の情報または信号を提供すること、
・  受信手段が、第１の情報を受信し、提示手段に第２の情報を提供すること、
・  提示手段が、第２の情報に対応する視覚情報を提示すること。
【００２３】
一実施形態では、検出手段は、基体の側面に、または側面上に配置され、検出手段の伸縮に対応する信号を出力する。
【００２４】
別の実施形態では、検出手段はさらに、検出手段に提供された信号に対応する音を提示する。
【００２５】
好適な実施形態では、カードは、第１の端部および１つ以上の反対側の端部を有し、提示手段は、カードの第１の端部に、または第１の端部上に配置され、撓みは主として、第１の端部よりも反対側の（１つまたは複数の）端部の近くで起こり、検出手段は、第１の端部よりも反対側の（１つまたは複数の）端部の近くに配置される。
【００２６】
上述のとおり、提示するステップは、１列以上の光放射体の各光放射体が、受信手段により制御されることを含む。多数の放射体が使用されてもよい。
【００２７】
方法は、タイミング情報を提供するステップをさらに含み、第２の情報は、タイミング情報にも基づいて決定されることが好ましい。
【００２８】
その場合方法は、第１の情報およびタイミング情報から、振られている間に提示手段が移動する第１の距離を推定するステップをさらに含むとよい。これは、情報を提示可能な範囲についての認識を与えうる。
【００２９】
その場合、受信手段は、提示されるべき２Ｄ情報を保持し、２Ｄ情報の隣接する細長い複数部分を表すデータを提示手段に順次送るとよい。このように、提示手段がその振られる距離に応じて移動する間に、情報が順次提示される。
【００３０】
一実施形態では、方法は、揺動されている間にカードにより表示される２Ｄ情報が、揺動の方向に沿う次元と、それに対して垂直な方向との間に所定の関係を有するように、２Ｄ情報の、第１の次元に沿う範囲を距離に関連づけ、撓みの方向に対して垂直な方向において提示ステップにより提示される情報の範囲を適応させるステップを含むとよい。したがって、次元間の関係ではなく大きさが、運動によって変更されるとよい。
【００３１】
別の実施形態による方法は、２Ｄ情報から、情報を提示するために必要な第２の距離を決定し、第１の距離と第２の距離との関係に対応して２Ｄ情報の一部を提示手段へ送るステップを含む。その結果、距離が短すぎると、情報の一部のみが提示されうる。
【００３２】
一実施形態による方法では、撓みが生じる面において、提示手段が取るカーブを推定し、それに合わせて第２の情報を適応させるステップを含むとよい。これは、例えば、平面要素による情報の提示を真似るためであってもよい。
【００３３】
別の実施形態による方法では、第１の情報およびタイミング情報に基づいて、提示手段の位置を推定し、推定された位置に基づいて、第２の情報を提供するステップを含む。
【００３４】
以下、図面を参照して本発明の好適な実施形態について説明する
【図面の簡単な説明】
【００３５】
図１は、本発明の好適な実施形態によるカードを示す。
図２は、カードの運動／振られている間の撓みを示す。
【００３６】
図１において、好適なカード１０は、その一端１２に、光放射体４０の列を含む。光放射体４０は、撓み推定器（bending estimator）２０から情報を受信する受信器または制御器３０により制御される。
【００３７】
撓み推定器は、圧電性結晶、ひずみゲージ、圧力感応抵抗器などであればよい。この推定器２０は、カード１０の基材（通常はプラスチック）の側面上に配され、カードの形状が平面から湾曲したり、また平面へと戻ったり間に、推定器が伸びたり縮んだりして、その伸縮に対応する信号を出力するように配される。
【００３８】
クレジット・カードなどで知られているように、推定器および制御器は、光放射体４０のように、カードの基盤の表面に積層または固定されてもよい。
【００３９】
このカードは、端部１２の反対の端部または端部１４の近くを握って「揺動」させられる（つまり振られる）ようになっている。この揺動によって、カード１０は撓み、この撓みが揺動についての情報を提供する。推定器２０は、端部１４の近くが、撓みが最大となる位置であることから、端部１４の近くに配置される。他の位置は撓みが小さいが、これらも採用可能である。
【００４０】
推定器２０からの情報または信号は受信器３０へ与えられる。すると受信器３０は、具備するタイミング回路にも基づいて、撓みの程度、あるいは端部１２の位置を決定する。例えば往復揺動運動における方向転換の点から経過した期間と組み合わされたカードの撓みが、端部１２の位置を指し示すということは明らかである。
【００４１】
さらに、撓み（加速度）ならびに連続する方向転換点間の経過時間は、往復運動の全長の推定をもたらす。
【００４２】
したがって、受信器は、端部１２の運動と、端部１２および光放射体４０の実際の位置との両方を推定することができる。
【００４３】
放射体４０が発する光を使用して情報を提示したい場合、制御器３０が、提示されるべき２Ｄイメージなどに関する情報を有している。このイメージは、ピクチャ、写真またはテキストであってもよい。任意の種類の２Ｄ情報が提示されうる。
【００４４】
この情報が、カードが振られている間、１列または複数列の比較的狭く細長い光放射体の列（単数または複数）によって提示されるように、制御器３０は、揺動中の端部１２の位置に対応する情報または信号を光放射体に送る。結果として提示される情報が２Ｄ情報に対応するように、この情報は、２Ｄ情報の正しい部分を放射体４０に送るために制御器３０によって使用される。位置決定がされなければ、見えるイメージ全体が往復運動の通過ごとに飛び飛びになってしまうことから、この位置決定は比較的重要である。
【００４５】
一実施形態では、制御器は、２Ｄ情報の全体を示すことができるように、端部１２の運動を追跡し、２Ｄ情報の幅に総往復距離を適応させる。
【００４６】
あるいは、２Ｄ情報は、最短揺動距離を（例えば正しい解像度などにするために）必要とすることもある。現在の揺動がこの距離を得なければ、制御器は２Ｄ情報の一部のみを提供するよう決めてもよい。したがって、当該最短距離が得られるのであれば、テキスト「Mickey is a mouse」を提供してもよいが、振られることにより得られる距離がそれより短ければ、「Mickey」または「Mickey is a」だけが得られる。イメージでも同じ状況となる。
【００４７】
この実施形態は、端部１４に対する端部１２の相対位置のみが追跡されるのではなく、端部１２の実際の位置も追跡される状況に変更されてもよい。それによって、カードを短い距離で揺動させて「Mickey」を提示し、続いてカードを「Ｍ」から「ｙ」の方向に移動させると、制御器は代わりに「is a」を提示することになり、当該方向へさらに移動すると、「mouse」を提示することになる。したがって、依然として短い距離で揺動させながらも、当該方向へカードを移動することによって、揺動の距離の短さを埋め合わせることができる。
【００４８】
別の実施形態では、光放射体の列の幅Ｗ（width）に沿って提示される情報の範囲を、実際の揺動距離を考慮に入れて変化させてもよい。つまり、提示されるべき２Ｄ情報が、Ｗの方向と、それに対して垂直な方向との間に一定の関係を有するべき場合、揺動の距離が短ければ、Ｗに沿って提示される情報の範囲が縮小されるとよい。揺動の距離が長くなると、制御器３０は、Ｗの方向に沿った情報（イメージなど）の範囲も大きくなるよう使用する光放射体の数を増やすとよい。
【００４９】
テキストの例では、制御器３０は、揺動の実際の距離全体にテキストが示されるように、フォントのサイズを変更するとよい。その結果、揺動の距離が大きくなれば、フォントのサイズが大きくなる。
【００５０】
一実施形態では、カードはさらに、音を出力するようになっている。その場合、制御器３０は、音に関する情報を保持するとよい。実際、圧電性結晶などの一部の撓み推定器は、対応する信号を受信すれば音を出力することもできると思われる。したがって、撓み推定器はさらに、制御器３０から信号を受信し対応する音を出力するよう使用されてもよい。両目的のために推定器２０を使用できるようにするためには、撓みおよび光の提示が起こらないときのみ音出力アクションを有効にすることが望ましい場合もある。
【００５１】
図２は、上方から見た揺動／撓みを示す。カードの一方の限界位置が符号１６で、他方の限界位置が符号１８で表されている。
【００５２】
端部１２が移動する距離は、端部が移動する実際のカーブＣに沿うものとして見なされてもよく、または、端点１６、１８の間の直線Ｌに沿った位置と考えられてもよい。
【００５３】
表示される情報を、図において右から見ているユーザは、当然ながら、カーブＣから表示される情報を見る。なお、制御器３０は、フラット・スクリーン上での情報提示を真似るために、情報の個々の部分を放射体４０へ伝送するタイミングを修正してもよい。したがって、これは、制御器３０が、すべての部分を（図２の平面への方向、および平面からの方向において）カーブＣに沿って等間隔に出力せず、線Ｌに沿って等間隔に出力することを必要とする。
【００５４】
当然ながら、制御器３０は、揺動について（距離、撓み、速度、加速度など）認識して、運動の様々な位置においてどのように情報を提示するかを決定するために、カードが数回揺動されるまで情報を提供しなくてもよい。そうでなければ、またはそれに加えて、制御器３０は、振られている間に提示する情報を変更するために、揺動の距離の変化に適応するようになっていてもよい。
【００５５】
さらに、制御器３０は、一方向（図２では上から下または下から上）に移動するときにだけ情報を提供してもよく、または両方向で情報を提供してもよい。
【００５６】
任意の列数の光放射体が使用されればよい。さらに、任意の種類の光放射体が使用されてよい（ＬＥＤ、レーザー、ＶＸＥＬなど）。さらに、他の色の別の放射体と混ぜてなど、単色光放射体が使用されてもよく、または、さまざまな色を出力することができる光放射体が使用されてもよい。
【００５７】
制御器３０は、任意の種類の情報向けにプリセットされていてもよく、または、所定の情報しか出力できなくてもよい。制御器３０は、制御器に格納された情報の間で確率的に変更すること、もしくは順次変更すること、または、提示されるべき情報を制御器３０に入力するようになっている外部機器と通信することによってなど、任意の適切な方法で、提示される情報を変更することができてもよい。この通信は、無線または有線であればよい。
【００５８】
当然ながら、端部１４など別の端部に別のセットの放射体４０が提供されれば、反対側、つまり端部１２の近くに、当該セットの放射体に関連して推定器２０が提供されるなど、カードには複数セットの推定器２０および放射体４０が提供されてもよい。当該状況では、２つの異なるセットが、２つの異なるメッセージまたは情報を提供するために使用されればよい。さらに、２つの異なる制御器３０が提供されてもよく、または、制御器３０が、どの推定器２０が最大の撓みを検出するかを決定することによって使用するセットを決めてもよい。
【００５９】
さらに、端部１２から異なる複数の距離に発光手段を設けることによって、３Ｄイメージまたは情報が提示されてもよい。こうして、各セットの発光手段に対して１つ、すなわち情報が利用可能な各「深度」に対して１つ、複数の２Ｄ情報が提供される。これらの追加の発光手段は、カード１０の側面上に端部１２から少し離れて設けられても、または、カードの基材が半透明であればカード内に設けられてもよい。
【図１】
2010501902.tif 000003
【図２】
2010501902.tif 000004
【手続補正書】
【提出日】平成20年10月13日(2008.10.13)
【手続補正１】
【補正対象書類名】特許請求の範囲
【補正対象項目名】全文
【補正方法】変更
【補正の内容】
【特許請求の範囲】
【請求項１】
揺動中に視覚情報を提示するカードであって、
・  柔軟性のある基体と、
・  視覚情報を提示する手段と、
・  前記基体が揺動せしめられている間の撓みを検出する手段と、
・  前記提示手段の動きを表す第１の情報または信号を前記検出手段から受信すると共に、前記第１の情報に基づいて、前記提示手段を制御するための第２の情報または信号を提供する手段と、
を有し、
前記視覚情報を提示する手段は、１列又は複数列の制御可能な光放射体を備え、前記揺動中に往復運動に曝されると二次元情報として前記視覚情報を提示するように構成され、
前記提供する手段は、前記第２の情報または信号を用いて前記光放射体を制御する手段でもある、
カード。
【請求項２】
前記検出手段は、前記基体の側面に、または前記側面上に配置され、前記検出手段の伸縮に対応する信号を出力するように構成される、請求項１に記載のカード。
【請求項３】
前記検出手段は、圧電変換器、ひずみゲージ、および圧力感応抵抗器から成る群から選択される、請求項１に記載のカード。
【請求項４】
前記検出手段はさらに、受信された信号に対応する音を提示するようになっており、前記カードはさらに、前記検出手段に信号を提供する手段を含む、請求項１に記載のカード。
【請求項５】
前記カードは、第１の端部および１つ以上の反対側端部を有し、前記提示手段は、前記カードの前記第１の端部に、または前記第１の端部上に配され、前記検出手段は、前記第１の端部よりも前記反対側の（１つまたは複数の）端部の近くに配される、請求項１に記載のカード。
【請求項６】
前記受信手段はさらに、タイミング情報を提供するようになっているタイミング手段を含み、前記受信手段は、前記タイミング情報にも基づいて前記第２の情報を提供する、請求項１に記載のカード。
【請求項７】
前記受信手段は、前記第１の情報および前記タイミング情報から、揺動されている間に前記提示手段が移動する第１の距離を推定するように構成される、請求項６に記載のカード。
【請求項８】
前記受信手段は、提示されるべき２Ｄ情報の隣接する細長い複数部分を表すデータを前記提示手段に順次送るために、前記２Ｄ情報を保持するように構成される、請求項７に記載のカード。
【請求項９】
前記受信手段は、前記揺動されている間に前記カードにより表示される前記２Ｄ情報が、揺動の方向に沿った次元と、それに対して垂直な方向との間に所定の関係を有するように、前記２Ｄ情報の第１の次元に沿った範囲を前記距離に関連づけ、前記提示手段の各列の光放射体の数を適応させるように構成される、請求項８に記載のカード。
【請求項１０】
前記受信手段は、前記２Ｄ情報を提示するために必要な第２の距離を前記情報から決定し、前記第１の距離と第２の距離との間の関係に対応して、前記２Ｄ情報の一部を前記提示手段へ送るように構成される、請求項８に記載のカード。
【請求項１１】
前記受信手段は、前記撓みが生じる面において前記提示手段が取るカーブを推定し、それに合わせて前記第２の情報を適応させるように構成される、請求項１に記載のカード。
【請求項１２】
前記受信手段は、前記第１の情報および前記タイミング情報に基づいて、前記提示手段の位置を推定し、前記推定された位置に基づいて、前記第２の情報を提供するように構成される、請求項６に記載のカード。
【請求項１３】
請求項１に記載のカードを動作させる方法であって、
・  前記カードを撓ませることと、
・  前記検出手段が、前記第１の情報または信号を前記受信手段に提供することと、
・  前記受信手段が、前記第１の情報を受信し、前記第２の情報を前記提示手段に提供することと、
・  前記提示手段が、前記第２の情報に関連する視覚情報を提示することと、
を含み、
前記撓みの検出または定量化は、前記提示手段の動きを表す情報を生成し、該情報は、前記受信手段が前記提示手段を制御するために利用し、
前記視覚情報は、前記提示手段が前記カードが振られることによって往復運動に曝される最中に、二次元情報として提示される、
む方法。
【請求項１４】
前記検出手段は、前記基体の側面に、または前記側面上に配置され、前記検出手段の伸縮に対応する信号を出力する、請求項１３に記載の方法。
【請求項１５】
前記検出手段はさらに、信号に対応する音を提示する、請求項１３に記載の方法。
【請求項１６】
前記カードは、第１の端部および１つ以上の反対側端部を有し、前記提示手段は、前記カードの前記第１の端部に、または前記第１の端部上に配置され、前記撓みは主として、前記第１の端部よりも前記反対側の（１つまたは複数の）端部の近くで起こり、前記検出手段は、前記第１の端部よりも前記反対側の（１つまたは複数の）端部の近くに配置される、請求項１３に記載の方法。
【請求項１７】
タイミング情報を提供することをさらに含み、前記第２の情報は、前記タイミング情報にも基づいて決定される、請求項１３に記載の方法。
【請求項１８】
前記第１の情報および前記タイミング情報から、揺動されている間に前記提示手段が移動する第１の距離を推定するステップをさらに含む、請求項１７に記載の方法。
【請求項１９】
前記受信手段は、提示されるべき２Ｄ情報を保持し、前記２Ｄ情報の隣接する細長い複数部分を表すデータを前記提示手段に順次送る、請求項１８に記載の方法。
【請求項２０】
前記揺動されている間に前記カードにより表示される前記２Ｄ情報が、揺動の方向に沿う次元と、それに対して垂直な方向との間に所定の関係を有するように、前記２Ｄ情報の第１の次元に沿う範囲を前記距離に関連づけ、撓みの方向に対して垂直な方向において、前記提示ステップにより提示される前記情報の範囲を適応させることを含む、請求項１９に記載の方法。
【請求項２１】
前記２Ｄ情報を提示するために必要な第２の距離を前記情報から決定し、前記第１の距離と第２の距離との間の関係に対応して、前記２Ｄ情報の一部を前記提示手段へ送ることを含む、請求項１９に記載の方法。
【請求項２２】
前記撓みが生じる面において前記提示手段が取るカーブを推定し、それに合わせて前記第２の情報を適応させることを含む、請求項１３に記載の方法。
【請求項２３】
前記第１の情報および前記タイミング情報に基づいて、前記提示手段の位置を推定し、前記推定された位置に基づいて、前記第２の情報を提供することを含む、請求項１８に記載の方法。
【国際調査報告】
2010501902.tif 000005
2010501902.tif 000006
2010501902.tif 000007